(57)【要約】【課題】本発明は、作成者によって再生順を指定することができ、作成者が意図した再生順を反映したプレイリストを作成することができるプレイリスト作成装置およびプレイリスト作成方法を提供することを課題とする。【解決手段】データファイル記録部１２１にデータファイルが記録されているコンテンツ一覧を表示部１３に表示し、操作部１４によってコンテンツ一覧の中からプレイリストに記載するコンテンツを選択するコンテンツ選択入力と、選択したコンテンツの再生順を指定する再生順指定入力とを受け付け、データ管理部１６は、コンテンツ選択入力によって選択されたコンテンツが記載され、再生順指定入力によって指定された再生順が再生順指定情報として記述されたプレイリストを作成する。【選択図】        図１
2007207340.tif 000002
【特許請求の範囲】
【請求項１】
再生するコンテンツの一覧が記載されたプレイリストを作成するプレイリスト作成装置であって、
プレイリスト記載候補のコンテンツ一覧を表示するコンテンツ表示手段と、
該コンテンツ表示手段に表示された前記コンテンツ一覧の中から前記プレイリストに記載する前記コンテンツを選択するコンテンツ選択入力と、選択した前記コンテンツの再生順を指定する再生順指定入力とを受け付ける操作手段と、
前記コンテンツ選択入力によって選択された前記コンテンツが記載され、前記再生順指定入力によって指定された再生順が再生順指定情報として記述された前記プレイリストを作成するデータ管理手段とを具備することを特徴とするプレイリスト作成装置。
【請求項２】
前記再生順指定情報は、前記コンテンツ単位で再生順が指定されていることを特徴とする請求項１記載のプレイリスト作成装置。
【請求項３】
再生するコンテンツの一覧が記載されたプレイリストを作成するプレイリスト作成方法であって、
プレイリスト記載候補のコンテンツ一覧を表示し、
表示した前記コンテンツ一覧の中から前記プレイリストに記載する前記コンテンツを選択するコンテンツ選択入力と、選択した前記コンテンツの再生順を指定する再生順指定入力とを受け付け、
前記コンテンツ選択入力によって選択された前記コンテンツを記載すると共に、前記再生順指定入力によって指定された再生順を再生順指定情報として記述した前記プレイリストを作成することを特徴とするプレイリスト作成方法。
【請求項４】
前記再生順指定情報は、前記コンテンツ単位で再生順を指定していることを特徴とする請求項３記載のプレイリスト作成方法。
【請求項５】
再生するコンテンツの一覧が記載されたプレイリストに基づいて再生を行うプレイリスト再生装置であって、
前記プレイリストには、記載されている前記コンテンツの再生順を指定する再生順指定情報が記述されており、
ランダム再生モードであっても、前記再生順指定情報によって指定された再生順を守って再生させるデータ管理手段を具備することを特徴とするプレイリスト再生装置。
【請求項６】
前記データ管理手段は、前記ランダム再生モードにおいて、前記再生順指定情報によって１つ前の前記コンテンツに引き続いて再生することが指定されている前記コンテンツを再生順指定コンテンツとし、前記プレイリストに記載されている前記コンテンツの中から前記再生順指定コンテンツを除いてランダムに選択して再生させることを特徴とする請求項１記載のプレイリスト再生装置。
【請求項７】
再生するコンテンツの一覧が記載されたプレイリストに基づいて再生を行うプレイリスト再生方法であって、
前記プレイリストには、記載されている前記コンテンツの再生順を指定する再生順指定情報が記述されており、
ランダム再生モードであっても、前記再生順指定情報によって指定された再生順を守って再生することを特徴とするプレイリスト再生方法。
【請求項８】
前記ランダム再生モードにおいて、前記再生順指定情報によって１つ前の前記コンテンツに引き続いて再生することが指定されている前記コンテンツを再生順指定コンテンツとし、前記プレイリストに記載されている前記コンテンツの中から前記再生順指定コンテンツを除いてランダムに選択して再生することを特徴とする請求項５記載のプレイリスト再生方法。
【請求項９】
再生するコンテンツの一覧が記載されたプレイリストであって、
記載されている前記コンテンツの再生順を指定する再生順指定情報が記述されていることを特徴とするプレイリスト。
【請求項１０】
前記再生順指定情報によって再生順が前記コンテンツ単位で指定されていることを特徴とする請求項９記載のプレイリスト。
【発明の詳細な説明】
【技術分野】
【０００１】
本発明は、再生するコンテンツの一覧が記載されたプレイリストを作成するプレイリスト作成装置およびプレイリスト作成方法に関し、特に作成者の作成意図を反映させたプレイリストを作成するプレイリスト作成装置およびプレイリスト作成方法に関する。
【背景技術】
【０００２】
近年、映像や音楽等のコンテンツを再生するオーディオプレーヤ等の再生装置においては、コンテンツのデータファイルを記録するデータファイル記録手段としてＨＤＤやシリコンメモリ等の大容量の記録手段が用いられるようになってきており、データファイル記録手段に大量のコンテンツ（データファイル）を記録しておくことができるようになっている。
【０００３】
このように大量に記録されたコンテンツの中から、場所や状況に応じて、ユーザが所望する複数のコンテンツのみを再生する機能としてプレイリストと呼ばれるものがある。プレイリストは、ユーザの好みに応じて選択された複数のコンテンツが記載されたリストであり、コンテンツが記録された場所を示す装置内アドレスやファイル名等が記述され、プレイリストに基づく再生が指示されると、プレイリストに記載された複数のコンテンツが順次再生される。
【０００４】
従来のプレイリストは、再生装置内にコンテンツが記録されていることが前提となっており、他の再生装置で用いることができない。すなわち、プレイリストに記載されているコンテンツが他の再生装置に記録されているとは限らないと共に、プレイリストに記載されているコンテンツが他の再生装置に記録されていたとしても、プレイスリストに記述されている装置内アドレスおよびファイル名は、プレイリストが作成された再生装置特有のものであり、他の再生装置においては、プレイスリストに記述されている装置内アドレスおよびファイル名で該当するコンテンツが記録されていないため、プレイリストに基づいた再生を行うことができない。
【０００５】
そこで、コンテンツを特定する固有ＩＤを記述することで、複数の再生装置で共用することができる新たなプレイリストが提案されている（例えば、特許文献１参照）。プレイリストに固有ＩＤを記述しておくことで、固有ＩＤに基づいてデータファイル記録手段に記録されたデータファイルを特定して再生することができると共に、データファイル記録手段にデータファイルが記録されていないコンテンツを固有ＩＤに基づいてネットワーク経由で収集して再生することができるようになっている。
【０００６】
しかしながら、従来技術では、プレイリストの作成者が意図しない順番でプレイリストが再生される場合がある。すなわち、作成者によって、プレイリストが記載されているコンテンツの順番通りに再生させることを意図して作成されている場合でも、プレイリスト自体では、記載されているコンテンツの順番に意味があるのか否かを判断することができないため、プレイリストが記載されているコンテンツをランダムに選択して再生するランダム再生が行われることがあり、作成者の意図をプレイリストに反映することができないという問題があった。
【特許文献１】特開２００５−１００６１２号公報
【発明の開示】
【発明が解決しようとする課題】
【０００７】
本発明は斯かる問題点に鑑みてなされたものであり、その目的とするところは、作成者によって再生順を指定することができ、作成者が意図した再生順を反映したプレイリストを作成することができるプレイリスト作成装置およびプレイリスト作成方法を提供する点にある。
【課題を解決するための手段】
【０００８】
本発明は上記課題を解決すべく、以下に掲げる構成とした。
本発明のプレイリスト作成装置は、再生するコンテンツの一覧が記載されたプレイリストを作成するプレイリスト作成装置であって、プレイリスト記載候補のコンテンツ一覧を表示するコンテンツ表示手段と、該コンテンツ表示手段に表示された前記コンテンツ一覧の中から前記プレイリストに記載する前記コンテンツを選択するコンテンツ選択入力と、選択した前記コンテンツの再生順を指定する再生順指定入力とを受け付ける操作手段と、前記コンテンツ選択入力によって選択された前記コンテンツが記載され、前記再生順指定入力によって指定された再生順が再生順指定情報として記述された前記プレイリストを作成するデータ管理手段とを具備することを特徴とする。
【０００９】
さらに、本発明のプレイリスト作成装置においては、前記再生順指定情報は、前記コンテンツ単位で再生順が指定されていることを特徴とする。
【００１０】
また、本発明のプレイリスト作成方法は、再生するコンテンツの一覧が記載されたプレイリストを作成するプレイリスト作成方法であって、プレイリスト記載候補のコンテンツ一覧を表示し、表示した前記コンテンツ一覧の中から前記プレイリストに記載する前記コンテンツを選択するコンテンツ選択入力と、選択した前記コンテンツの再生順を指定する再生順指定入力とを受け付け、前記コンテンツ選択入力によって選択された前記コンテンツを記載すると共に、前記再生順指定入力によって指定された再生順を再生順指定情報として記述した前記プレイリストを作成することを特徴とする。
【００１１】
さらに、本発明のプレイリスト再作成方法においては、前記再生順指定情報は、前記コンテンツ単位で再生順を指定していることを特徴とする。
【００１２】
また、本発明のプレイリスト再生装置は、再生するコンテンツの一覧が記載されたプレイリストに基づいて再生を行うプレイリスト再生装置であって、前記プレイリストには、記載されている前記コンテンツの再生順を指定する再生順指定情報が記述されており、ランダム再生モードであっても、前記再生順指定情報によって指定された再生順を守って再生させるデータ管理手段を具備することを特徴とする。
【００１３】
さらに、本発明のプレイリスト再生装置においては、前記データ管理手段は、前記ランダム再生モードにおいて、前記再生順指定情報によって１つ前の前記コンテンツに引き続いて再生することが指定されている前記コンテンツを再生順指定コンテンツとし、前記プレイリストに記載されている前記コンテンツの中から前記再生順指定コンテンツを除いてランダムに選択して再生させることを特徴とする。
【００１４】
また、本発明のプレイリスト再生方法は、再生するコンテンツの一覧が記載されたプレイリストに基づいて再生を行うプレイリスト再生方法であって、前記プレイリストには、記載されている前記コンテンツの再生順を指定する再生順指定情報が記述されており、ランダム再生モードであっても、前記再生順指定情報によって指定された再生順を守って再生することを特徴とする。
【００１５】
さらに、本発明のプレイリスト再生方法においては、前記ランダム再生モードにおいて、前記再生順指定情報によって１つ前の前記コンテンツに引き続いて再生することが指定されている前記コンテンツを再生順指定コンテンツとし、前記プレイリストに記載されている前記コンテンツの中から前記再生順指定コンテンツを除いてランダムに選択して再生することを特徴とする。
【００１６】
また、本発明のプレイリストは、再生するコンテンツの一覧が記載されたプレイリストであって、記載されている前記コンテンツの再生順を指定する再生順指定情報が記述されていることを特徴とする。
【００１７】
さらに、本発明のプレイリストにおいては、前記再生順指定情報によって再生順が前記コンテンツ単位で指定されていることを特徴とする。
【発明の効果】
【００１８】
本発明のプレイリスト作成装置およびプレイリスト作成方法は、コンテンツ一覧の中からプレイリストに記載するコンテンツを選択するコンテンツ選択入力と、選択したコンテンツの再生順を指定する再生順指定入力とを受け付け、コンテンツ選択入力によって選択されたコンテンツが記載され、再生順指定入力によって指定された再生順が再生順指定情報として記述されたプレイリストを作成するように構成することより、再生順指定情報によってコンテンツの再生順が指定されたプレイリストを作成することができるため、作成者によって再生順を指定することができ、作成者が意図した再生順を反映したプレイリストを作成することができるという効果を奏する。
【００１９】
さらに、本発明のプレイリスト作成装置およびプレイリスト作成方法は、再生順指定情報によってコンテンツ単位で再生順を指定するように構成することにより、作成者がどうしても連続して再生したいコンテンツのみの再生順を指定することができ、プレイリストを作成する際の自由度が向上するという効果を奏する。
【発明を実施するための最良の形態】
【００２０】
以下、本発明の実施の形態を図面に基づいて詳細に説明する。
【００２１】
図１は、本発明に係るプレイリスト作成装置の実施の形態の構成を示すブロック図であり、図２は、図１に示すプレイリスト作成装置で作成されるプレイリスト例を示す図である。
【００２２】
本実施の形態のプレイリスト作成装置は、プレイリストを作成するプレイリスト作成機能と、プレイリストに基づく再生を行うプレイリスト再生機能を有するオーディオプレーヤ等の再生装置１０であり、図１を参照すると、インターネット等のネットワーク２０に接続可能に構成され、送受信部１１と、情報記録部１２と、表示部１３と、操作部１４と、再生処理部１５と、データ管理部１６とを備えている。
【００２３】
再生装置１０で作成および再生されるプレイリストは、再生するコンテンツの一覧が記載されたリストであり、図２に示すように、コンテンツを特定する固有ＩＤと、再生順指定情報とが記述されている。なお、プレイリストに、コンテンツ名、アーティスト名等の書誌データを記述するようにしても良い。再生順指定情報は、コンテンツごとに順次再生するかどうかを指定する情報であり、図２に示す例では、１番目のコンテンツの次に２番目のコンテンツを再生することが指定されていると共に、４番目のコンテンツの次に５番目のコンテンツを再生することが指定されている。なお、本実施の形態では、１つ前のコンテンツに引き続いて再生することが指定されているコンテンツを再生順指定コンテンツと称する。また、図２では、プレイリスト内に再生順指定情報を技術する例を示したが、プレイリストがファイルとして取り扱われる場合には、ファイルのヘッダやフッタなど、ファイルの一部にバイナリデータとして再生順指定情報を記述するようにしても良い。
【００２４】
さらに、図２に示す例では、再生順指定情報によってコンテンツ単位で再生順を指定するように構成したが、プレイリスト全体の再生順を指定、すなわちプレイリストに記述されたコンテンツの順番通りに再生するようにしても良く、この場合には、コンテンツを順番通りに再生することを指定する情報を再生順指定情報としてプレイリスト内に記述する他に、プレイリストがファイルとして取り扱われる場合には、ファイル名や拡張子に再生順指定情報を記述させることもできる。なお、プレイリスト全体の再生順が指定されている場合には、２番目以降のコンテンツが全て再生順指定コンテンツとなる。
【００２５】
ファイル名に再生順指定情報を記述させる例としては、再生順が指定されていないプレイリストのファイル名を小文字で記述し、再生順が指定されているプレイリストのファイル名を大文字で記述することによって、ファイル名を再生順指定情報として用いることができる。また、拡張子に再生順指定情報を記述させる例としては、ファイル名と同様に、再生順が指定されているプレイリストと再生順が指定されていないプレイリストとの拡張子を大文字と小文字とに区別することによって、拡張子を再生順指定情報として用いることができると共に、再生順が指定されているプレイリストの拡張子を、再生順が指定されていないプレイリストの拡張子とは異なるものを使用することによって、拡張子を再生順指定情報として用いることができる。
【００２６】
送受信部１１は、有線もしくは無線でネットワーク２０に接続する機能を有し、ネットワーク２０を介してコンテンツのデータファイルを配信するコンテンツ配信サーバ３０および第三者が所有するパソコン等の情報処理装置４０と情報通信を行う機能を有する。
【００２７】
情報記録部１２は、ＨＤＤやシリコンメモリ等の記録手段であり、コンテンツ配信サーバ３０から受信したデータファイルが記録されるデータファイル記録部１２１と、作成したプレイリストが記録されるプレイリスト記録部１２２とからなる。なお、コンテンツ配信サーバ３０から受信されるデータファイルには、コンテンツを特定する固有ＩＤが含まれているものとし、データファイル記録部１２１には、データファイルと共に、固有ＩＤが記録されている。
【００２８】
表示部１３は、液晶ディスプレイ等の表示手段であり、コンテンツに映像データが含まれている場合に、再生処理部１５によって再生された映像が表示されると共に、プレイリスト作成時には、プレイリストに記載するコンテンツを選択するために、データファイル記録部１２１にデータファイルが記録されているコンテンツの一覧がプレイリスト記載候補として表示され、プレイリスト再生時には、再生するコンテンツを選択するために、プレイリスト記録部１２２に記録されているプレイリストの一覧が表示される。
【００２９】
操作部１４は、操作ボタン等の操作手段であり、プレイリスト作成時には、コンテンツ一覧の表示を指示するコンテンツ表示指示入力、表示されたコンテンツを選択するコンテンツ選択入力、選択したコンテンツを記載したプレイリストの作成を指示するプレイリスト作成指示入力、プレイリストに記載されたコンテンツの再生順を指定する再生順指定入力が行われ、プレイリスト再生時には、プレイリスト一覧の表示を指示するプレイリスト表示指示入力、表示されたプレイリストを選択するプレイリスト選択入力、プレイリストの再生を順番通りに行うかランダムで行うかを指定する再生モード指定入力、選択したプレイリストの再生を指示する再生指示入力が行われる。
【００３０】
再生処理部１５は、情報記録部１２のデータファイル記録部１２１に記録されているデータファイルを伸長して再生し、映像は、表示部１３に表示させ、音声は、接続されたヘッドフォン５０に出力する。
【００３１】
データ管理部１６は、情報記録部１２、表示部１３および操作部１４を制御して、データファイル記録部１２１にデータファイルが記録されているコンテンツを選択し、選択したコンテンツが記載されたプレイリストを作成するプレイリスト作成動作を実行すると共に、情報記録部１２、表示部１３、操作部１４および再生処理部１５を制御して、プレイリスト記録部１２２に記録されているプレイリストを選択し、選択したプレイリストに記載されているコンテンツの再生を行うプレイリスト再生動作を実行する。
【００３２】
次に、本実施の形態のプレイリスト作成動作について図３を参照して詳細に説明する。
図３は、本発明に係るプレイリスト作成装置の実施の形態におけるプレイリスト作成動作を説明するためのフローチャートである。
【００３３】
まず、データ管理部１６は、操作部１４からのコンテンツ表示指示入力を受け付け（ステップＡ１）、コンテンツ表示指示入力を受け付けると、表示部１３に情報記録部１２のデータファイル記録部１２１にデータファイルが記録されているコンテンツの一覧をプレイリスト記載候補として表示させる（ステップＡ２）。
【００３４】
次に、データ管理部１６は、操作部１４からのコンテンツ選択指示入力を受け付けると共に（ステップＡ３）、操作部１４からのプレイリスト作成指示入力を受け付け（ステップＡ４）、コンテンツ選択指示入力とプレイリスト作成指示入力とを受け付けると、コンテンツ選択指示入力によって選択されたコンテンツの再生順を指定するか否かをユーザに問い合わせる（ステップＡ５）。
【００３５】
ステップＡ５でコンテンツの再生順を指定する場合、すなわち操作部１４から再生順を指定することを示す入力が行われると、データ管理部１６は、操作部１４からの再生順指定入力を受け付け（ステップＡ６）、再生順指定入力を受け付けると、ステップＡ３でのコンテンツ選択指示入力で選択されたコンテンツが記載され、再生順指定入力によって指定された再生順が再生順指定情報として記述されたプレイリストを作成して（ステップＡ７）、作成したプレイリストをプレイリスト記録部１２２に記録させ、プレイリスト作成動作を終了する。
【００３６】
ステップＡ５で再生順を指定しない場合には、すなわち操作部１４から再生順を指定しないことを示す入力が行われると、データ管理部１６は、ステップＡ３でのコンテンツ選択指示入力で選択されたコンテンツが記載され、再生順指定情報が記述されていないプレイリストを作成して（ステップＡ８）、作成したプレイリストをプレイリスト記録部１２２に記録させ、プレイリスト作成動作を終了する。
【００３７】
次に、本実施の形態のプレイリスト再生動作について図４を参照して詳細に説明する。
図４は、本発明に係るプレイリスト作成装置の実施の形態におけるプレイリスト再生動作を説明するためのフローチャートである。
【００３８】
まず、データ管理部１６は、操作部１４からのプレイリスト表示指示入力を受け付け（ステップＢ１）、プレイリスト表示指示入力を受け付けると、表示部１３にプレイリスト記録部１２２に記録されているプレイリストの一覧を表示させる（ステップＢ２）。
【００３９】
次に、データ管理部１６は、操作部１４からのプレイリスト選択指示入力を受け付けると共に（ステップＢ３）、操作部１４からのプレイリスト再生指示入力を受け付け、プレイリスト選択指示入力とプレイリスト再生指示入力とを受け付けると、プレイリスト選択指示入力によって指定されたプレイリストの再生動作を開始する。
（ステップＢ４）
データ管理部１６は、再生モード指定入力によって指定されている再生モードが順番通りであるか否かを判断し（ステップＢ５）、再生モードが順番通りである場合には、変数ｎに１をセットし（ステップＢ６）、再生処理部１５によってプレイリストに記載されたｎ番目のコンテンツを再生させ（ステップＢ７）、再生が終了すると（ステップＢ８）、ｎをインクリメントして（ステップＢ９）、ステップＢ７に戻る。以下、再生の中止が指示されるまでステップＢ７〜ステップＢ９の動作が繰り返され、プレイリストに記載されたコンテンツが順番通りに再生されることになる。
【００４０】
ステップＢ５で再生モードが順番通りでない場合、すなわちランダム再生モードである場合は、データ管理部１６は、選択されたプレイリストに再生順指定情報が記述されているか否かを判断する（ステップＢ１０）。
【００４１】
ステップＢ１０で選択されたプレイリストに再生順指定情報が記述されていない場合には、データ管理部１６は、再生処理部１５によってプレイリストに記載されているコンテンツの中からランダムに選択したコンテンツを再生させ（ステップＢ１１）、再生が終了すると（ステップＢ１２）、ステップＢ１１に戻る。以下、再生の中止が指示されるまでステップＢ１１〜ステップＢ１２の動作が繰り返され、プレイリストに記載されたコンテンツがランダムに再生されることになる。
【００４２】
ステップＢ１０で選択されたプレイリストに再生順指定情報が記述されていない場合には、データ管理部１６は、再生処理部１５によってプレイリストに記載されているコンテンツの中から再生順指定コンテンツを除いてランダムに選択したコンテンツを再生させ（ステップＢ１３）、再生が終了すると（ステップＢ１４）、再生順指定情報を参照することで、次に再生するコンテンツが指定されているか否かを判断する（ステップＢ１５）。
【００４３】
ステップＢ１５で次に再生するコンテンツが指定されているには、データ管理部１６は、再生処理部１５によって指定されているコンテンツを再生させ（ステップＢ１６）、ステップＢ１４に戻ると共に、ステップＢ１５で次に再生するコンテンツが指定されていない場合には、ステップＢ１３に戻る。以下、再生の中止が指示されるまでステップＢ１３〜ステップＢ１６の動作が繰り返され、再生順指定情報によって指定された再生順を守りながらプレイリストに記載されたコンテンツがランダムに再生されることになる。
【００４４】
なお、本実施の形態では、プレイリストの再生を順番通りに行うモードと、ランダムで行うモードとを指定できるように構成したが、プレイリストに記載されているコンテンツを直接選択して再生するモードを採用しても良い。この場合にも、プレイリストに記載されているコンテンツを直接選択する際に、再生順指定コンテンツを選択できないように制御することにより、再生順指定情報によって指定された再生順を守ることが可能になる。
【００４５】
以上説明したように、本実施の形態によれば、データファイル記録部１２１にデータファイルが記録されているコンテンツ一覧を表示部１３に表示し、操作部１４によってコンテンツ一覧の中からプレイリストに記載するコンテンツを選択するコンテンツ選択入力と、選択したコンテンツの再生順を指定する再生順指定入力とを受け付け、データ管理部１６は、コンテンツ選択入力によって選択されたコンテンツが記載され、再生順指定入力によって指定された再生順が再生順指定情報として記述されたプレイリストを作成するように構成することより、再生順指定情報によってコンテンツの再生順が指定されたプレイリストを作成することができるため、作成者によって再生順を指定することができ、作成者が意図した再生順を反映したプレイリストを作成することができるという効果を奏する。
【００４６】
さらに、本実施の形態によれば、再生順指定情報によってコンテンツ単位で再生順を指定するように構成することにより、作成者がどうしても連続して再生したいコンテンツのみの再生順を指定することができ、プレイリストを作成する際の自由度が向上するという効果を奏する。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４８】
【図１】本発明に係るプレイリスト作成装置の実施の形態の構成を示すブロック図である。
【図２】図１に示すプレイリスト作成装置で作成されるプレイリスト例を示す図である。
【図３】本発明に係るプレイリスト作成装置の実施の形態におけるプレイリスト作成動作を説明するためのフローチャートである。
【図４】本発明に係るプレイリスト作成装置の実施の形態におけるプレイリスト再生動作を説明するためのフローチャートである。
【符号の説明】
【００４９】
１０  再生装置
１１  送受信部
１２  情報記録部
１３  表示部
１４  操作部
１５  再生処理部
１６  データ管理部
２０  ネットワーク
３０  コンテンツ配信サーバ
４０  情報処理装置
５０  ヘッドフォン
１２１  データファイル記録部
１２２  プレイリスト記録部
【図１】
2007207340.tif 000003
【図２】
2007207340.tif 000004
【図３】
2007207340.tif 000005
【図４】
2007207340.tif 000006